(57)【要約】【課題】重量性の空調用室外機を周囲の枠部材に邪魔されずに設置できるようにする。【解決手段】左右２つの左右枠部材１３，３３および前後２つの前後枠部材１４，３４によって、前後左右の四隅の４つの支柱部材１２，３２を互いに鉛直方向で平行となすことで平面略矩形枠状に配置し、両左右枠部材１３，３３または両前後枠部材１４，３４のいずれかをその略中間部分で折り畳み機構Ｒを介して折り畳み自在となるように連結して成る上下部ステー１１，３１を備える。折り畳み機構Ｒは、両前後枠部材１４，３４を折り込み可能としたヒンジ部１６，３６と、両前後枠部材１４，３４のガイド長孔１８，３８と、ガイド長孔１８，３８に挿通した可動軸２１，４１を介して一端側が揺動可能で且つ摺動可能となるように連結し、他端側が支柱部材１２，３２に支柱下部側支軸２０，４０を介して揺動可能に枢着して成る筋交部材２２，４２とを備える。【選択図】図１
2010101510.tif 000002
【特許請求の範囲】
【請求項１】
左右２つの左右枠部材および前後２つの前後枠部材が、左右前後の四隅の４つの支柱部材を互いに鉛直方向で平行となすことで平面略矩形枠状に配置され、両左右枠部材または両前後枠部材のいずれかをその略中間部分で折り畳み機構を介して折り畳み自在となるように連結して成るステーを備えたことを特徴とする機器類の据付装置。
【請求項２】
折り畳み機構は、両左右枠部材または両前後枠部材のいずれかをその略中間部分で互いに折り込み可能としたヒンジ部と、両左右枠部材または両前後枠部材の各一端側が支柱上部側支軸を介して左右前後の支柱部材に対し揺動可能で且つ摺動可能となって連結されるよう両左右枠部材または両前後枠部材の各両端部側に形成したガイド長孔と、両左右枠部材または両前後枠部材のガイド長孔に挿通されている可動軸を介して一端側が揺動可能で且つ摺動可能となるように連結され、他端側が支柱部材に支柱下部側支軸を介して揺動可能に枢着して成る筋交部材とを備えた請求項１記載の機器類の据付装置。
【請求項３】
ヒンジ部は、両左右枠部材または両前後枠部材のいずれかを断面コ字形を呈する左右一対の連結アーム部材に分割形成し、該連結アーム部材の分割された各端部に左右一対の突片部を突設し、該突片部を断面コ字形を呈するヒンジ部自体の両端開口側にそれぞれ挿入させてからヒンジ部のコ字側面から突片部を貫通する支軸を介して左右一対の連結アーム部材がヒンジ部のコ字開放側に向けて互いに折り込み可能として成る請求項１または２記載の機器類の据付装置。
【請求項４】
筋交部材には、当該筋交部材が連結アーム部材と共に支柱部材側に折り込まれたときに当該支柱部材の支柱上部側支軸に筋交部材自体を係合させる係合溝部が形成されている請求項２または３記載の機器類の据付装置。
【請求項５】
左右２つの上部左右枠部材および前後２つの上部前後枠部材が、前後左右の四隅の４つの上部支柱部材を互いに鉛直方向で平行となすことで平面略矩形枠状に配置され、両上部左右枠部材または両上部前後枠部材のいずれかをその略中間部分で上部折り畳み機構を介して折り畳み自在となるように連結して成る上部ステーと、左右２つの下部左右枠部材および前後２つの下部前後枠部材が、前後左右の四隅の４つの下部支柱部材を互いに鉛直方向で平行となすことで平面略矩形枠状に配置され、両下部左右枠部材または両下部両前後枠部材のいずれかをその略中間部分で下部折り畳み機構を介して折り畳み自在となるように連結して成る下部ステーとを備え、下部ステーは各下部支柱部材の上端が上方に突出され当該上端から上部ステー下端側が挿入可能とし、各下部支柱部材の上端に形成された下部固定部に対し、上部ステーの各上部支柱部材の下端に形成された上部固定部を、上部ステーが所望の高さとなる位置で互いに合致させ、上下両固定部を締結部材で固定可能として成る高さ調整機構を備えて成ることを特徴とする機器類の据付装置。
【請求項６】
高さ調整機構は、上部ステーの上部固定部、下部ステーの下部固定部それぞれに離間形成された複数のネジ孔を互いに合致させて締結可能として成る請求項５記載の機器類の据付装置。
【発明の詳細な説明】
【技術分野】
【０００１】
本発明は、例えば空調用室外機等の種々の機器類を一段もしくは上下二段等に平置固定するための据付装置に関する。
【背景技術】
【０００２】
従来、この種の据付装置としては、例えば特許文献１に開示されているような枠状据付台が存在する。この枠状据付台は、水平縦部材、水平横部材、垂直部材、および水平支持部材を、平板状結合部材やＬ型結合部材等の結合部材とボルトとを用いて枠状に結合することで形成される。そして、この枠状据付台は二段に階層化して、室外機上下二段に設置するのに用いられ、一段目（下段）の台座枠は、比較的短い四本の垂直部材の上端部で、一対の水平縦部材および一対の水平横部材を矩形状に結合して構成される。
【０００３】
また、特許文献２に開示されているような空調用室外機の吊下げ据付け台が存在する。この吊下げ据付け台は、室外機載置部を具備した略Ｕ字形の一対の吊桿からなり、各吊桿が所定の間隔で天井部に取付けられるように構成され、該吊桿は、その先端部に天井部に対する取付部分を具備する一対のアーム部材と、その両端が上記各アーム部材の基端部に連結される載置部材とから成っている。
【特許文献１】特開２００７−３２８７６号公報
【特許文献１】特開平８−１６６１４９号公報
【発明の開示】
【発明が解決しようとする課題】
【０００４】
しかしながら、このような従来の据付台においては、例えば特許文献１による枠状据付台の場合、当該枠状据付台は結合部材を用いて枠状に結合されて成るから、この枠状据付台の正面側から重量性のある空調用室外機を挿入する場合、周囲の枠部材が邪魔となり、非常に面倒な作業となっていた。
【０００５】
また、特許文献２に開示されているような空調用室外機の吊下げ据付け台の場合、重量性のある空調用室外機を各吊桿の載置部材に架け渡すようにして載せる際には、一対のアーム部材が取付部分によって天井部に取り付けられたままの状態であるから、吊桿の一方側側面から空調用室外機を挿入しなければならず、これまた非常に面倒な作業となっていた。
【０００６】
そこで、本発明は叙上のような従来存した諸事情に鑑み創出されたもので、従来のように組み立て後の枠状据付台の正面側から空調用室外機を挿入して載置したり、天井部に取り付け後の吊下げ据付け台に側面側から挿入して載置したり等の非常に面倒な作業を行わなくても、重量性のある空調用室外機を周囲の枠部材に邪魔されずに、また、多段で平置する場合でも単に載せるだけの簡単な作業で設置可能とする機器類の据付装置を提供することを目的とする。
【課題を解決するための手段】
【０００７】
上述した課題を解決するため、本発明にあっては、左右２つの左右枠部材（１３，３３）および前後２つの前後枠部材（１４，３４）が、前後左右の四隅の４つの支柱部材（１２，３２）を互いに鉛直方向で平行となすことで平面略矩形枠状に配置され、両左右枠部材（１３，３３）または両前後枠部材（１４，３４）のいずれかをその略中間部分で折り畳み機構Ｒを介して折り畳み自在となるように連結して成るステー（１１，３１）を備えたものである。
折り畳み機構Ｒは、両左右枠部材（１３，３３）または両前後枠部材（１４，３４）のいずれかをその略中間部分で互いに折り込み可能としたヒンジ部（１６，３６）と、両左右枠部材（１３，３３）または両前後枠部材（１４，３４）の各一端側が支柱上部側支軸（１９，３９）を介して左右前後の支柱部材（１２，３２）に対し揺動可能で且つ摺動可能となって連結されるよう両左右枠部材（１３，３３）または両前後枠部材（１４，３４）の各両端部側に形成したガイド長孔（１８，３８）と、両左右枠部材（１３，３３）または両前後枠部材（１４，３４）のガイド長孔（１８，３８）に挿通されている可動軸（２１，４１）を介して一端側が揺動可能で且つ摺動可能となるように連結され、他端側が支柱部材（１２，３２）に支柱下部側支軸（２０，４０）を介して揺動可能に枢着して成る筋交部材（２２，４２）とを備えたものとできる。
ヒンジ部（１６，３６）は、両左右枠部材（１３，３３）または両前後枠部材（１４，３４）のいずれかを断面コ字形を呈する左右一対の連結アーム部材（１７，３７）に分割形成し、該連結アーム部材（１７，３７）の分割された各端部に左右一対の突片部（２５，４５）を突設し、該突片部（２５，４５）を断面コ字形を呈するヒンジ部（１６，３６）自体の両端開口側にそれぞれ挿入させてからヒンジ部（１６，３６）のコ字側面から突片部（２５，４５）を貫通する支軸（２６，４６）を介して左右一対の連結アーム部材（１７，３７）がヒンジ部（１６，３６）のコ字開放側に向けて互いに折り込み可能として成るものとできる。
筋交部材（２２，４２）には、当該筋交部材（２２，４２）が連結アーム部材（１７，３７）と共に支柱部材（１２，３２）側に折り込まれたときに当該支柱部材（１２，３２）の支柱上部側支軸（１９，３９）に筋交部材（２２，４２）自体を係合させる係合溝部（２４，４４）が形成されているものとできる。
また、他の本発明にあっては、左右２つの上部左右枠部材３３および前後２つの上部前後枠部材３４が、前後左右の四隅の４つの上部支柱部材３２を互いに鉛直方向で平行となすことで平面略矩形枠状に配置され、両上部左右枠部材３３または両上部前後枠部材３４のいずれかをその略中間部分で上部折り畳み機構Ｒを介して折り畳み自在となるように連結して成る上部ステー３１と、左右２つの下部左右枠部材１３および前後２つの下部前後枠部材１４が、前後左右の四隅の４つの下部支柱部材１２を互いに鉛直方向で平行となすことで平面略矩形枠状に配置され、両下部左右枠部材１３または両下部両前後枠部材１４のいずれかをその略中間部分で下部折り畳み機構Ｒを介して折り畳み自在となるように連結して成る下部ステー１１とを備え、下部ステー１１は各下部支柱部材１２の上端が上方に突出され当該上端から上部ステー３１下端側が挿入可能とし、各下部支柱部材１２の上端に形成された下部固定部１５に対し、上部ステー３１の各上部支柱部材３２の下端に形成された上部固定部３５を、上部ステー３１が所望の高さとなる位置で互いに合致させ、上下両固定部１５，３５を締結部材２で固定可能として成る高さ調整機構Ｑを備えて成るものとできる。
高さ調整機構Ｑは、上部ステー３１の上部固定部３５、下部ステー１１の下部固定部１５それぞれに離間形成された複数のネジ孔を互いに合致させてボルト・ナット止め等にて締結可能として成るものとできる。
【０００８】
以上のように構成された本発明に係る機器類の据付装置にあって、下部折り畳み機構Ｒにより両下部左右枠部材１３または両下部前後枠部材１４のいずれかをヒンジ部１６を介して水平に延ばした状態の下部ステー１１に例えば空調用室外機Ｐ等の種々の機器類が載置固定される。
そして、上部折り畳み機構Ｒにより両上部左右枠部材３３または両上部前後枠部材３４のいずれかをヒンジ部３６を介して水平に延ばした状態の上部ステー３１の上部支柱部材３２下端側が下部ステー１１の下部支柱部材１２上端に挿入される。
このとき、高さ調整機構Ｑは、下部ステー１１の各下部支柱部材１２に離間形成された複数の下部固定部１５の例えばいずれか２つのネジ孔に対し、上部ステー３１の各上部支柱部材３２に離間形成された複数の上部固定部３５の例えば２つのネジ孔を互いに合致させてからこれら２箇所の両固定部１５，３５を締結部材２で固定させることで、当該上部ステー３１を空調用室外機Ｐの高さに応じた所望の高さとなるように配置させる。
そして、上部ステー３１の上には、他の空調用室外機Ｐ等の機器類が載置固定されることで、２つの機器類が上下二段となって配置される。
折り畳み機構Ｒは、左右の上部支柱部材３２または左右の下部支柱部材１２を互いに開閉させることで、筋交部材（２２，４２）の一端側を、各連結アーム部材（１７，３７）のガイド長孔（１８，３８）に挿通されている可動軸（２１，４１）を介して当該ガイド長孔（１８，３８）に沿ってスライドさせ、これに伴い左右の連結アーム部材（１７，３７）を中央のヒンジ部（１６，３６）を介して互いに開いたり折り込ませたりする。
また、折り畳み機構Ｒは、左右の上部支柱部材３２または左右の下部支柱部材１２が互いに外方に開いた状態で、筋交部材（２２，４２）の一端側における可動軸（２１，４１）を各連結アーム部材（１７，３７）のガイド長孔（１８，３８）の一方の内端部側で係止させることから各連結アーム部材（１７，３７）を直線状態に保持させる。
さらに、筋交部材（２２，４２）が連結アーム部材（１７，３７）と共に上部支柱部材３２または下部支柱部材１２側に折り込まれたときには、筋交部材（２２，４２）の係合溝部（２４，４４）が支柱上部側支軸（１９，３９）または支柱下部側支軸（２０，４０）に係合され、筋交部材（２２，４２）自体を上部支柱部材３２または下部支柱部材１２に保持させる。
【発明の効果】
【０００９】
本発明によれば、従来のように組み立て後の枠状据付台の正面側から空調用室外機Ｐを挿入して載置したり、天井部に取り付け後の吊下げ据付け台に側面側から挿入して載置したり等の非常に面倒な作業を行わなくても、重量性のある空調用室外機Ｐを周囲の枠部材に邪魔されずに、単に載せるだけの簡単な作業で設置可能とする。
【００１０】
すなわち、これは本発明が、左右２つの左右枠部材（１３，３３）および前後２つの前後枠部材（１４，３４）が、前後左右の四隅の４つの支柱部材（１２，３２）を互いに鉛直方向で平行となすことで平面略矩形枠状に配置され、両左右枠部材（１３，３３）または両前後枠部材（１４，３４）のいずれかをその略中間部分で折り畳み機構Ｒを介して折り畳み自在となるように連結して成るステー（１１，３１）を備えたからであり、折り畳み機構Ｒにより両左右枠部材（１３，３３）または両前後枠部材（１４，３４）のいずれかを水平に延ばした状態のステー（１１，３１）の上に重量性のある空調用室外機Ｐを単に載せるだけの簡単な作業で周囲の枠部材に邪魔されずに設置することができる。
【００１１】
しかも、上下ステー（１１，３１）それぞれは、前後左右の支柱部材（１２，３２）を備えた平面略矩形枠状に形成されているから、折り畳み機構Ｒによって、これを水平に延ばすように展開し、組立てるだけで据付台を構成できる。そのため、従来のように、例えば断面Ｌ字形の部材を設置現場において組合せ、ボルト・ナット止めする等の面倒な作業は不要であり、ワンタッチ的に簡単に据付作業を遂行できる。
【００１２】
折り畳み機構Ｒは、両左右枠部材（１３，３３）または両前後枠部材（１４，３４）のいずれかをその略中間部分で互いに折り込み可能としたヒンジ部（１６，３６）と、両左右枠部材（１３，３３）または両前後枠部材（１４，３４）の各一端側が支柱上部側支軸（１９，３９）を介して左右前後の支柱部材（１２，３２）に対し揺動可能で且つ摺動可能となって連結されるよう両左右枠部材（１３，３３）または両前後枠部材（１４，３４）の各両端部側に形成したガイド長孔（１８，３８）と、両左右枠部材（１３，３３）または両前後枠部材（１４，３４）のガイド長孔（１８，３８）に挿通されている可動軸（２１，４１）を介して一端側が揺動可能で且つ摺動可能となるように連結され、他端側が支柱部材（１２，３２）に支柱下部側支軸（２０，４０）を介して揺動可能に枢着して成る筋交部材（２２，４２）とを備えたので、左右一対の支柱部材（１２，３２）を互いに外方へ開くことで、筋交部材（２２，４２）の一端側の可動軸（２１，４１）を連結アーム部材（１７，３７）のガイド長孔（１８，３８）に沿ってスライドさせると同時に左右一対の連結アーム部材（１７，３７）をヒンジ部（１６，３６）を介して水平状態に開くことができる。そのため、下部ステー１１および上部ステー３１はコンパクトに折り畳まれている状態からスムーズに引き延ばすことができる。しかも、折り畳み機構Ｒは、左右一対の支柱部材（１２，３２）が互いに外方に開いた状態では、筋交部材（２２，４２）の一端側における可動軸（２１，４１）を連結アーム部材（１７，３７）のガイド長孔（１８，３８）の一方の内端部側で係止させるから、左右の連結アーム部材（１７，３７）を筋交部材（２２，４２）を介して左右一対の支柱部材（１２，３２）間で安定して保持させることができる。
【００１３】
ヒンジ部（１６，３６）は、両左右枠部材（１３，３３）または両前後枠部材（１４，３４）のいずれかを断面コ字形を呈する左右一対の連結アーム部材（１７，３７）に分割形成し、該連結アーム部材（１７，３７）の分割された各端部に左右一対の突片部（２５，４５）を突設し、該突片部（２５，４５）を断面コ字形を呈するヒンジ部（１６，３６）自体の両端開口側にそれぞれ挿入させてからヒンジ部（１６，３６）のコ字側面から突片部（２５，４５）を貫通する支軸（２６，４６）を介して左右一対の連結アーム部材（１７，３７）がヒンジ部（１６，３６）のコ字開放側に向けて互いに折り込み可能として成るので、左右の連結アーム部材（１７，３７）をヒンジ部（１６，３６）を介して直線状態となるよう安定して保持させることができる。
【００１４】
筋交部材（２２，４２）には、当該筋交部材（２２，４２）が連結アーム部材（１７，３７）と共に支柱部材（１２，３２）側に折り込まれたときに当該支柱部材（１２，３２）の支柱上部側支軸（１９，３９）に筋交部材（２２，４２）自体を係合させる係合溝部（２４，４４）を備えたので、折り畳み状態で支柱上部側支軸（１９，３９）が筋交部材（２２，４２）の支障にはならずに支柱部材（１２，３２）側に容易に収納することができる。
【００１５】
左右２つの上部左右枠部材３３および前後２つの上部前後枠部材３４が、前後左右の四隅の４つの上部支柱部材３２を互いに鉛直方向で平行となすことで平面略矩形枠状に配置され、両上部左右枠部材３３または両上部前後枠部材３４のいずれかをその略中間部分で上部折り畳み機構Ｒを介して折り畳み自在となるように連結して成る上部ステー３１と、左右２つの下部左右枠部材１３および前後２つの下部前後枠部材１４が、前後左右の四隅の４つの下部支柱部材１２を互いに鉛直方向で平行となすことで平面略矩形枠状に配置され、両下部左右枠部材１３または両下部両前後枠部材のいずれかをその略中間部分で下部折り畳み機構Ｒを介して折り畳み自在となるように連結して成る下部ステー１１とを備え、下部ステー１１は各下部支柱部材１２の上端が上方に突出され当該上端から上部ステー３１下端側が挿入可能とし、各下部支柱部材１２の上端に離間形成された複数の下部固定部１５に対し、上部ステー３１の各上部支柱部材３２の下端に離間形成された複数の上部固定部３５を、上部ステー３１が所望の高さとなる位置で互いに合致させ、上下両固定部１５，３５を締結部材２で固定可能として成る高さ調整機構Ｑを備えて成るので、折り畳み機構Ｒを延ばした状態の下部ステー１１の上に一方の空調用室外機Ｐを載置固定してから、下部ステー１１上端から、折り畳み機構Ｒを延ばした状態の上部ステー３１の下端側を挿入させて、高さ調整機構Ｑにより、上部ステー３１が空調用室外機Ｐの高さに応じた所望の高さとなるようにして当該上部ステー３１の上に他方の空調用室外機Ｐを載置固定するから、周囲の枠部材によって邪魔されずに容易に２つの機器類を上下二段となって配置させることができる。
【００１６】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【発明を実施するための最良の形態】
【００１７】
以下、図面を参照して本発明を実施するための最良の一形態を詳細に説明する。図において示される符号１は、本発明に係る例えば空調用室外機Ｐ等の種々の機器類を平置固定するための据付装置を構成する装置本体である。該装置本体１は、図１および図２に示すように、互いに折り畳み機構Ｒを介して折り畳み自在となることでコンパクトに折り畳まれ、また展開組み立てられるように構成された上部ステー３１および下部ステー１１から構成され、上下両ステー１１，３１は、高さ調整機構Ｑを介して互いに上下方向で連結固定されるようにしてある。
【００１８】
尚、以下においては機器類が空調用室外機Ｐである場合について説明するが、本発明はこの機器類の種類によって何等限定されないことは勿論である。
【００１９】
上下両ステー１１，３１は、左右２つの上下部左右枠部材１３，３３および前後２つの上下部前後枠部材１４，３４が、これらの上下部左右部材１３，３３端それぞれ、上下部前後枠部材１４，３４端それぞれを連結することで前後左右の四隅にある４つの下部支柱部材１２，３２を互いに鉛直方向で平行となした状態で平面略矩形枠状に配置されるように形成されている。
【００２０】
すなわち、下部ステー１１は、断面コ字形を呈する２つの下部支柱部材１２それぞれの略中間における互いの側面同士を長尺矩形状の下部左右枠部材１３を介して連結して成る略Ｈ字形の側面枠をそれぞれのコ字開口側を相対向させるようにして左右に対向配置させ、前後にある左右２つの下部支柱部材１２それぞれを、前記下部左右枠部材１３と同じ高さ位置にて下部前後枠部材１４で連結することで構成されている。
【００２１】
一方、上部ステー３１は、断面コ字形を呈する２つの上部支柱部材３２それぞれの上端における互いの側面同士を長尺矩形状の上部左右枠部材３３を介して連結してして成る略倒Ｕ字形の側面枠をそれぞれのコ字開口側を相対向させるようにして左右に対向配置させ、前後にある左右２つの上部支柱部材３２それぞれを、前記上部左右枠部材３３と同じ上端位置にて上部前後枠部材３４で連結することで構成されている。
【００２２】
上部ステー３１の上部支柱部材３２のコ字外法幅員は、下部ステー１１の下部支柱部材１２のコ字内法幅員に比し小さくして、上部支柱部材３２が下部支柱部材１２内に嵌り込む程度の大きさにすることで、上部ステー３１の上部固定部３５、下部ステー１１の下部固定部１５をそれぞれ形成する。これによって下部ステー１１における下部固定部１５に、下部支柱部材１２の上端側から上部ステー３１における上部固定部１５の上部支柱部材３２の下端側が挿入され、全体として筐体枠状となった２段構造の装置本体１が形成されるようにしてある。
【００２３】
また、上下両ステー１１，３１には、下部ステー１１に対し上部ステー３１を空調用室外機Ｐの高さに応じた所望の高さとなるように配置固定させるための高さ調整機構Ｑを設けてある。すなわち、高さ調整機構Ｑは、図１に示すように、下部ステー１１の各下部支柱部材１２のコ字中央面の長手方向に沿って下部固定部１５には例えば複数のネジ孔等が離間形成され、このネジ孔等に対応すべく上部ステー３１の各上部支柱部材３２のコ字中央面の長手方向に沿って上部固定部３５には例えば同様に複数のネジ孔等が離間形成されている。そして、図２に示すように、下部ステー１１の各下部支柱部材１２の下部固定部１５に対し、上部ステー３１の各上部支柱部材３２の上部固定部３５を互いにスライドして組合せ、当該上部ステー３１が空調用室外機Ｐの高さに応じた所望の高さ位置となるようにして互いにネジ孔等を合致させてから例えばボルト・ナット等の締結部材２で固定させるものとしてある。
【００２４】
一方、前後にある上部前後枠部材３４、および前後にある下部前後枠部材１４それぞれは、その略中間部分に形成した折り畳み機構Ｒを介して折り畳み自在となるように構成されている。
【００２５】
すなわち、下部前後枠部材１４は、中間に配した後述するヒンジ部１６の左右で、断面コ字形を呈する左右一対の連結アーム部材１７に分割形成し、該連結アーム部材１７の分割された各端部に薄肉板状の突片部２５を左右一対となって突設してある。そして図４に示すように、この突片部２５を断面コ字形を呈するヒンジ部１６の両端開口側にそれぞれ挿入させてからヒンジ部１６のコ字側面から突片部２５を貫通する支軸２６を介して左右一対の連結アーム部材１７がヒンジ部１６のコ字開口側に向けて互いに折り込み可能となるようにしてある。
【００２６】
また、上部前後枠部材３４は、同じく中間に配した後述するヒンジ部３６の左右で、断面コ字形を呈する左右一対の連結アーム部材３７に分割形成し、該連結アーム部材３７の分割された各端部に薄肉板状の突片部４５を左右一対となって突設してある。そして、同様に図４に示すように、この突片部４５を断面コ字形を呈するヒンジ部３６の両端開口側にそれぞれ挿入させてからヒンジ部３６のコ字側面から突片部４５を貫通する支軸４６を介して左右一対の連結アーム部材３７がヒンジ部３６のコ字開口側に向けて互いに折り込み可能となるようにしてある。
【００２７】
更には、図３に示すように、左右一対の連結アーム部材１７，３７のコ字開口側はそれぞれ下方に向けられ、後述する筋交部材２２，４２が収納できるようにしてある。そして、連結アーム部材１７，３７のヒンジ部１６，３６連結位置とは反対側の各端部側における相対向するコ字両側面には長尺なガイド長孔１８，３８が形成されており、該両側面のガイド長孔１８，３８に、両端部が上部支柱部材３２および下部支柱部材１２のコ字側面に架けて固着されている支柱上部側支軸１９，３９が挿通される。こうして、上部支柱部材３２および下部支柱部材１２に対し連結アーム部材１７，３７がこのガイド長孔１８，３８を介して揺動可能で且つ摺動可能となる。
【００２８】
また、上部支柱部材３２および下部支柱部材１２における連結アーム部材１７，３７の支柱上部側支軸１９，３９の位置よりも下方側には支柱下部側支軸２０，４０があり、この支柱下部側支軸２０，４０によって筋交部材２２，４２の他端側が揺動可能に枢着されている。このとき断面コ字形を呈する筋交部材２２，４２のコ字開口側を上方に向けるようにしてその他端側が上部支柱部材３２および下部支柱部材１２のコ字開口側に収納されている。
【００２９】
一方、筋交部材２２，４２の一端側は、連結アーム部材１７，３７のコ字開口側に下方から挿入され、筋交部材２２，４２のコ字側面にかけて貫通した可動軸２１，４１の外方に突出した両端部が連結アーム部材１７，３７のガイド長孔１８，３８に係合されている。こうして、可動軸２１，４１を介して筋交部材２２，４２の一端側が連結アーム部材１７，３７のガイド長孔１８，３８を介して揺動可能で且つ摺動可能となるように連結される。
【００３０】
さらに、筋交部材２２，４２のコ字両側面には係合溝部２４，４４が形成されており、折り畳み機構Ｒによって左右の上部支柱部材３２または左右の下部支柱部材１２が閉じられて筋交部材２２，４２が上部支柱部材３２または下部支柱部材１２のコ字開口内側に収納された際には、この係合溝部２４，４４に前記連結アーム部材１７，３７の支柱上部側支軸１９，３９が嵌り込んで係止されるようにしてある（図３（ａ）乃至（ｃ）参照）。これによって、筋交部材２２，４２が連結アーム部材１７，３７と共に上部支柱部材３２または下部支柱部材１２側に折り込まれたときに支柱上部側支軸１９，３９によって筋交部材２２，４２自体が固定されるものとしてある。
【００３１】
また、図５に示すように、上下両ステー１１，３１における連結アーム部材１７，３７および筋交部材２２，４２が上部支柱部材３２または下部支柱部材１２のコ字開口内側に収納されて各部材が縦向き一直線状の状態となった場合には、連結アーム部材１７，３７がこれのガイド長孔１８，３８によって下方の上部支柱部材３２または下部支柱部材１２の間にスライド収納されることでコンパクトに短縮されるようにしてある。
【００３２】
図１、図２中の符号２３，４３は空調用室外機Ｐを載置固定させるために前後の連結アーム部材１７，３７に左右位置で架け渡して設けられる載架部材であり、当該機器類の横幅に対応して連結アーム部材１７，３７に沿って左右方向で互いに位置をスライドできるようにしてある。
【００３３】
尚、本形態による据付装置は平置固定用としているが、空調用室外機Ｐの吊下げ用の据付装置として使用することもできる。この場合、空調用室外機Ｐの高さに応じて高さ調整機構Ｑを予め調整しておけば、空調用室外機Ｐを据付装置の正面側から挿入して簡単に載置することができる。
【００３４】
次に、以上のように構成された最良の形態についての使用の一例について説明する。先ず、図６に示すように、前後の２つの下部支柱部材１２が対となって折り畳まれている下部ステー１１の前後にある左右２つの下部支柱部材１２を同時に開いて平面略矩形枠状にしてから室外の所定の場所に設置する。このとき、図７に示すように、前後にある左右２つの下部支柱部材１２に対し連結アーム部材１７が中央のヒンジ部１６を介して左右に開いて行き、これと同時に左右の連結アーム部材１７のガイド長孔１８に係合されている各筋交部材２２の可動軸２１が当該ガイド長孔１８に沿って揺動しながらスライドし、両筋交部材２２は互いに内側下方に向けて傾倒して行く。
【００３５】
図８に示すように、前後にある左右２つの連結アーム部材１７が共にヒンジ部１６を介して直線状に開くと同時に各筋交部材２２の可動軸２１がガイド長孔１８の内端部に係止され、当該各筋交部材２２は斜め配置となって連結アーム部材１７を下側からしっかりと支持する状態となる。
【００３６】
そして、図１に示すように、前後の下部前後枠部材１４に左右一対の載架部材２３を架け渡してから、当該左右の載架部材２３の上に空調用室外機Ｐを載せる。このとき、下部ステー１１の上側には、未だ上部ステー３１が取り付けられておらず解放状態となっているから、いずれの部材にも邪魔されずに、何等の支障もないまま空調用室外機Ｐを下部ステー１１に載せることができるのである。
【００３７】
次いで、図９に示すように、前後の２つの上部支柱部材３２が対となって折り畳まれている上部ステー３１の前後にある左右２つの上部支柱部材３２を同時に開いて平面略矩形枠状にしてから、下部ステー１１の上に組み付ける。このとき、上部ステー３１は図３（ｃ）に示すように、連結アーム部材３７および筋交部材４２が上部支柱部材３２側に折り畳まれている状態では、連結アーム部材３７がこれのガイド長孔３８に沿って下方にスライド収納されているため、一旦、連結アーム部材３７の上端に位置するヒンジ部３６を上部支持部材から上方に引き出しておく。
【００３８】
図１０に示すように、前後にある左右２つの上部支柱部材３２に対し、左右の連結アーム部材３７が中央のヒンジ部３６の両側で左右に開いて行き、これと同時に連結アーム部材３７のガイド長孔３８に可動軸４１を介して係合されている各筋交部材４２が当該ガイド長孔３８に沿って揺動しながらスライドし、両筋交部材４２は互いに内側下方に向けて傾倒して行く。
【００３９】
図１１に示すように、連結アーム部材３７が直線状に開くと同時に各筋交部材４２の可動軸４１がガイド長孔３８の内端部に係止され、当該各筋交部材４２は斜め配置となって左右の連結アーム部材３７を下側からしっかりと保持する状態となる。
【００４０】
図１に示すように、下部ステー１１における各下部支柱部材１２の上端側から上部ステー３１における各上部支柱部材３２の下端側を挿入する。そして、図２に示すように、高さ調整機構Ｑであるところの各下部支柱部材１２の下部固定部１５に対し、各上部支柱部材３２の上部固定部３５を、当該上部ステー３１が下部ステー１１上に載せた空調用室外機Ｐの高さに応じた所望の高さ位置となるようにして互いに合致させてからボルト・ナット等の締結部材２で固定する。こうして、装置本体１が全体として２段構造の筐体枠状となって形成される（図２参照）。
【００４１】
また、空調用室外機Ｐを二段にして設置する場合には、図１および図２に示すように、下部ステー１１の上に取り付けた上部ステー３１の前後の上部前後枠部材３４に左右一対の載架部材４３を架け渡してから、当該左右の載架部材４３の上に他の空調用室外機Ｐを載せれば良い。尚、空調用室外機Ｐを１つだけ設置する場合には、上部ステー３１のみを使って設置することもできる。
【図面の簡単な説明】
【００４２】
【図１】本発明を実施するための最良の形態における据付装置の構成を示す分解斜視図である。
【図２】同じく据付装置の使用状態を示す斜視図である。
【図３】同じく折り畳み機構の動作を説明するもので、（ａ）は左右の連結アーム部材をヒンジ部の左右で延ばした状態の説明図、（ｂ）は左右の連結アーム部材を筋交部材によって折り畳む途中の状態を示す説明図、（ｃ）は左右の連結アーム部材を筋交部材によって折り畳んだ状態を示す説明図である。
【図４】同じくヒンジ部の構成の一例を示し、（ａ）はヒンジ部を介して左右の連結アーム部材を折り畳む途中の状態の斜視図、（ａ）はヒンジ部を介して左右の連結アーム部材を左右直線状に延ばした状態の斜視図である。
【図５】同じく下部ステーあるいは上部ステーの折り畳まれた状態を示す断面図である。
【図６】同じく下部ステーの折り畳まれた状態を示す一部切欠側面図である。
【図７】同じく下部ステーの開いた途中の状態を示す側面図である。
【図８】同じく下部ステーの完全に開いた状態を示す側面図である。
【図９】同じく上部ステーの折り畳まれた状態を示す一部切欠側面図である。
【図１０】同じく上部ステーの開いた途中の状態を示す側面図である。
【図１１】同じく上部ステーの完全に開いた状態を示す側面図である。
【符号の説明】
【００４３】
Ｐ…空調用室外機                        Ｑ…高さ調整機構
Ｒ…折り畳み機構
１…装置本体                            ２…締結部材
１１…下部ステー                        １２…下部支柱部材
１３…下部左右枠部材                    １４…下部前後枠部材
１５…下部固定部                        １６…ヒンジ部
１７…連結アーム部材                    １８…ガイド長孔
１９…支柱上部側支軸                    ２０…支柱下部側支軸
２１…可動軸                            ２２…筋交部材
２３…載架部材                          ２４…係合溝部
２５…突片部                            ２６…支軸
３１…上部ステー                        ３２…上部支柱部材
３３…上部左右枠部材                    ３４…上部前後枠部材
３５…上部固定部                        ３６…ヒンジ部
３７…連結アーム部材                    ３８…ガイド長孔
３９…支柱上部側支軸                    ４０…支柱下部側支軸
４１…可動軸                            ４２…筋交部材
４３…載架部材                          ４４…係合溝部
４５…突片部                            ４６…支軸
【図１】
2010101510.tif 000003
【図２】
2010101510.tif 000004
【図３】
2010101510.tif 000005
【図４】
2010101510.tif 000006
【図５】
2010101510.tif 000007
【図６】
2010101510.tif 000008
【図７】
2010101510.tif 000009
【図８】
2010101510.tif 000010
【図９】
2010101510.tif 000011
【図１０】
2010101510.tif 000012
【図１１】
2010101510.tif 000013